(57)【要約】      （修正有）【課題】切断して送り出す金属材に変形や割れが生じることを防止するスリッターを提供する。【解決手段】複数の回転カッターを適宜間隔を隔てて備えた回転軸を有し、その回転軸の一端に回転動力の受入部と、張力（トルク）調整部を備えるとともに、一方向クラッチを具備して、前記回転軸の回転方向を一方向に規制してあることとし、前記した一方向クラッチはラチェット式のものとしたこととし、前記した一方向クラッチはローラ式のものとしたこととする。【選択図】図１
0003151166.tif 000002
【実用新案登録請求の範囲】
【請求項１】
複数の回転カッターを適宜間隔を隔てて備えた回転軸を有し、その回転軸の一端に回転動力の受入部と、張力（トルク）調整部を備えるとともに、一方向クラッチを具備して、前記回転軸の回転方向を一方向に規制してあることを特徴とするスリッター。
【請求項２】
前記した一方向クラッチはラチェット式のものとしたことを特徴とする請求項１に記載のスリッター。
【請求項３】
前記した一方向クラッチはローラ式のものとしたことを特徴とする請求項１に記載のスリッター。
【考案の詳細な説明】
【技術分野】
【０００１】
本考案はスリッター、特に箔状に圧延された帯状金属材を複数条にスリットするためのスリッターに関する。
【背景技術】
【０００２】
一般的に、上記したスリッターを用いた加工ラインは図４に示すような構成となっている。この図４にあって１は巻き出しアンコイラーを示し、この巻き出しアンコイラー１には、材料となる帯状の金属材Ｍが巻回されている。その巻き出しアンコイラー１に巻回されている金属材Ｍは端から引き出され、回転する上下の回転カッター２ａ、２ｂ間へ送られる。
【０００３】
この各々の回転カッター２ａ、２ｂは、各々が中央に回転軸への嵌め付け孔を有する円板状となっており、その嵌め付け孔が回転軸に嵌め付けられ、その回転軸と同期回転する。そして、各々の回転カッター２ａ、２ｂは複数個が適宜間隔を隔てて設けられるもので、金属材Ｍをその回転カッター２ａ、２ｂの設定された間隔に適合する幅とした複数の条にスリットしていくこととなる。
【０００４】
この回転カッター２ａ、２ｂ間でスリットされた金属材Ｍは、ガイドロール３とテンションロール４を通され、張力を与えられて巻き取りリコイラー５に各々が巻き取られていく。
【０００５】
しかしながら、この一般的なスリットにあっては、ガイドロール３やテンションロール４が存在せず、金属材Ｍへの張力はリコイラー５の回転力で引っ張ることにより、直接的に与えられることが多く、その場合、回転カッター２ａ、２ｂは金属材が送られるスピードと適合せずにブレーキがかけられたようになり、その回転カッター２ａ、２ｂに挟持され、切断されて送り出される金属材Ｍに変形や割れが生じてしまうことがあった。
【先行技術文献】
【特許文献】
【０００６】
出願人は本願考案について、先行する特許文献を調査したが、格別に本願考案と関連し、類似すると思われる文献は発見できなかった。
【考案の概要】
【考案が解決しようとする課題】
【０００７】
本考案が解決しようとする問題点は、従来のスリッターにあって、リコイラーの回転力で金属材に対し、張力を与えると、回転カッターにそのリコイラーの回転力が金属材を介して影響し、切断して送り出す金属材に変形や割れが生じてしまうという点である。
【課題を解決するための手段】
【０００８】
上記した問題点を解決するために本考案に係るスリッターは、複数の回転カッターを適宜間隔を隔てて備えた回転軸を有し、その回転軸の一端に回転動力の受入部と、張力（トルク）調整部を備えるとともに、一方向クラッチを具備して、前記回転軸の回転方向を一方向に規制してあることを特徴としている。
【０００９】
また、本考案に係るスリッターは、前記した一方向クラッチはラチェット式のものとしたことを特徴としている。
【００１０】
さらに、本考案に係るスリッターは、前記した一方向クラッチはローラ式のものとしたことを特徴としている。
【考案の効果】
【００１１】
本考案に係るスリッターは上記のように構成されている。そのため、一方向クラッチを設けることで、その制御された方向には回転軸のフリー回転が得られ、その回転軸に取り付けられている回転カッターもフリー回転となるので、リコイラーで強制的に金属材を引っ張ってもスムーズにその金属材は送り出され、回転カッターは金属材で引かれてそのスピードに合せて回転し、変形や割れが生じてしまうことがなくなる。
【図面の簡単な説明】
【００１２】
【図１】本考案に係るスリッターの回転軸構造を示す図である。
【図２】一方向クラッチとしてのラチェット式を示す正面図である。
【図３】一方向クラッチとしてローラ式を示す正面図である。
【図４】従来例としてスリッターの加工ラインを示す図である。
【考案を実施するための形態】
【００１３】
図面として示し、実施例で説明したように構成したことで実現した。
【実施例１】
【００１４】
次に、本考案の好ましい実施の例を図１乃至図３を参照して説明する。これらの図にあって１０は回転軸を示している。この回転軸１０の一端にはプーリ１１が設けられ、このプーリ１１には、駆動モータのモータ軸との間で伝動ベルトが掛け回され、その回転力を回転軸１０に伝えるものとなっている。
【００１５】
また、このプーリ１１の内側には、張力（トルク）調整機１２が取り付けられ、駆動モータから伝達される回転力を調整し、実際的な回転軸１０の回転速度を調整するものとして、リコイラーでの巻き取りを密な状態となるように図っている。
【００１６】
さらに、この張力（トルク）調整機１２の内側には、回転軸１０の回転方向を一方向のみに規制し、フリー回転を得ることができる一方向クラッチ１３が取り付けられている。この一方向クラッチ１３としては、図２として示すラチェット式のものや、図３として示すローラ式のものが考えられる。
【００１７】
ラチェット式の場合は、支持体１４に中心部分を軸支された爪車１５を有しており、前記した支持体１４の上端に、スプリング１６で引張附勢されたストッパー１７が前記した爪車１５の爪の一つと係合するようになっている。この爪車１５は矢印方向に回転するときは、爪の上面がストッパー１７と摺接し、その回転を妨げることはないが、逆方向へ回転することはストッパー１７によって阻止されることとなる。
【００１８】
また、ローラ式の場合は、円筒状をした回転体１８の内側に、複数のスペース１９、１９‥を形成し、このスペース１９は矢印で示す回転方向に向け、徐々にその幅を小さくなるように形成してある。このスペース１９内には大径側に取り付けられたコイルスプリング２０で附勢されたローラ（ボール）２１が収容されている。ここで、このクラッチが矢印方向へ回転すると、この回転力でコイルスプリング２０は圧縮され、ローラ２１は大径側で寄るので、何らの摩擦力もなく、スムーズに回転が得られるが、逆方向へ回転すると、コイルスプリング２０は伸長し、ローラ２１が狭径の部位へ移動し、大きな摩擦力を生じるため、ストッパーとなって回転することができない。
【００１９】
そして、前記した回転軸１０は軸受スタンド２２を介して、他方側へ突出され、回転カッター２ａ（２ｂ）が取り付けられるカッター回転軸２３とされる。このカッター回転軸２３は回転軸１０と一体物でもよく、あるいは、途中でジョイントで連結したものでもよい。このカッター回転軸２３にあって、回転カッター２ａ（２ｂ）、２ａ（２ｂ）‥の間には間隔を保持するとともに、自由な作動を抑制するため、スリーブ２４、２４‥が介在されている。
【産業上の利用可能性】
【００２０】
本実施例に係るスリッターは上記のように構成されている。ここではスリッターを対象としていることは当然であるが、本発明は、そのほかにも、ローラでシートを挟んで搬送し、巻き取りするような搬送システムの回転軸にも応用実施することが可能である。
【符号の説明】
【００２１】
２ａ    回転カッター（上刃）
２ｂ    回転カッター（下刃）
１０    回転軸
１１    プーリ
１２    張力（トルク）調整機
１３    一方向クラッチ
１４    支持体
１５    爪車
１６    スプリング
１７    ストッパー
１８    回転体
１９    スペース
２０    コイルスプリング
２１    ローラ（ボール）
２２    軸受スタンド
２３    カッター回転軸
２４    スリーブ
【図１】
0003151166.tif 000003
【図２】
0003151166.tif 000004
【図３】
0003151166.tif 000005
【図４】
0003151166.tif 000006